(57)【要約】  【課題】  表示部２の表示内容を変化させるに際し、ユーザの操作負担を軽減でき、これによって装置の利便性を向上させる。  【解決手段】  表示部２を有する装置に加速度センサ１２を設ける。加速度センサ１２は、装置の姿勢の変化を検出するものであり、例えば装置の傾き方向や傾き量を検出する。ＣＰＵ１３は、加速度センサ１２によって検出された装置の姿勢の変化に対応して、表示部２における情報の表示内容を変化させる。例えば、ＣＰＵ１３は、装置の基準位置からの傾き方向と対応する方向に、表示部２における表示内容をスクロールさせる。したがって、ユーザは、表示内容を変化させるに際し、装置の姿勢を変化させる（装置を傾ける）だけでよく、操作ボタンを何度も押圧する必要がない。【選択図】      図１
2005221816.tif 000002
【特許請求の範囲】
【請求項１】
情報を表示する表示部と、
前記表示部における情報の表示を制御する制御手段とを備えた電子装置であって、
当該装置の姿勢の変化を検出する姿勢検出手段をさらに備え、
前記制御手段は、前記姿勢検出手段によって検出された装置の姿勢の変化に対応して、前記表示部における情報の表示内容を変化させることを特徴とする電子装置。
【請求項２】
前記制御手段は、当該装置の基準位置からの傾き方向に応じた態様で、前記表示内容を変化させることを特徴とする請求項１に記載の電子装置。
【請求項３】
前記制御手段は、当該装置の基準位置からの傾き方向と対応する方向に、前記表示内容をスクロールさせることを特徴とする請求項１または２に記載の電子装置。
【請求項４】
前記制御手段は、当該装置の基準位置からの傾き量と対応する速度で、前記表示内容をスクロールさせることを特徴とする請求項３に記載の電子装置。
【請求項５】
前記制御手段は、前記表示内容の現在のスクロール方向と対応する当該装置の傾き方向とは逆方向に当該装置が所定量傾いたときに、前記表示内容のスクロールを停止させることを特徴とする請求項３または４に記載の電子装置。
【請求項６】
前記表示部の表示画面上にて選択表示された情報を再生する再生手段をさらに備え、
前記制御手段は、前記表示内容の現在のスクロール可能な方向と対応する当該装置の傾き方向とは異なる方向に当該装置が傾いたときに、前記選択表示されている情報を前記再生手段に再生させることを特徴とする請求項３から５のいずれかに記載の電子装置。
【請求項７】
前記表示内容を手動で変化させるための操作部と、
前記姿勢検出手段の姿勢変化の検出に基づく前記制御手段の動作をＯＮ／ＯＦＦするためのトリガー手段とをさらに備えていることを特徴とする請求項１から６のいずれかに記載の電子装置。
【発明の詳細な説明】
【技術分野】
【０００１】
本発明は、例えば、文字等の情報を表示する表示部を本体に有する電子装置に関するものである。
【背景技術】
【０００２】
近年、ポータブルＭＤプレーヤやポータブルＨＤＤプレーヤのように、再生内容に関する情報（音楽の曲名、アーチスト等）を文字等で表示部に表示させる電子装置が市場で販売されている。これらの電子装置は、例えば図６および図７に示す構成となっている。
【０００３】
図６は、従来のポータブルＭＤプレーヤの正面図を示している。同図において、１０１は表示部、１０２はＰＬＡＹ／ＰＡＵＳＥキー、１０３はＦＦキー、１０４はＲＥＷキー、１０５はＳＴＯＰキー、１０６はＶＯＬＵＭＥ（＋）キー、１０７はＶＯＬＵＭＥ（−）キーである。表示部１０１には、例えば、トラック番号１１０、曲のタイトル１１１およびＶＯＬＵＭＥ１１２が表示される。
【０００４】
ユーザは、表示部１０１を見ながらＦＦキー１０３およびＲＥＷキー１０４を操作することにより、聞きたい曲を表示部１０１上で選択することができる。選択された曲は、ＰＬＡＹ／ＰＡＵＳＥキー１０２の押圧により、再生される。
【０００５】
また、プレーヤ本体には、付属のリモコン（図示せず）が接続可能であるが、このリモコンにも、本体と同様の機能を有する表示部と各種操作ボタンとが設けられている。したがって、リモコンにて本体と同様の操作を行うことにより、リモコンで曲の選択を行うこともできる。
【０００６】
一方、図７は、従来のポータブルＨＤＤプレーヤの正面図を示している。同図において、２０１は表示部、２０２はＶＯＬＵＭＥ（＋）／上スクロールキー、２０３はＦＦ／右スクロールキー、２０４はＶＯＬＵＭＥ（−）／下スクロールキー、２０５はＲＥＷ／左スクロールキー、２０６はＰＬＡＹ／ＰＡＵＳＥキー、２０７はＭＥＮＵキーである。表示部２０１には、例えば複数行の文字情報が表示される。また、ポータブルＨＤＤプレーヤの図示しないＨＤＤには、曲（音楽）データの他に、通常、タイトル名、アーチスト名、アルバム名等もその曲のＴＡＧデータとして記録されている。
【０００７】
ユーザが所望の曲を選択して、その曲を聞きたいときは、まず、ＭＥＮＵキー２０７を押して、図８（ａ）に示すＭＥＮＵ画面を表示部２０１に表示させる。続いて、ＶＯＬＵＭＥ（＋）／上スクロールキー２０２またはＶＯＬＵＭＥ（−）／下スクロールキー２０４を押してＰＬＡＹを選択し、ＦＦ／右スクロールキー２０３を押すことにより、図８（ｂ）の表示に変わる。
【０００８】
図８（ｂ）において、ＶＯＬＵＭＥ（−）／下スクロールキー２０４を押して『ＡＲＴＩＳＴ』を選択し、ＦＦ／右スクロールキー２０３を押すことにより、図８（ｃ）の表示に変わる。図８（ｃ）では、ＨＤＤに記録されている音楽データのアーチスト名が表示される。
【０００９】
続いて、ＶＯＬＵＭＥ（−）／下スクロールキー２０４を押して、例えば『ＡＲＴＩＳＴ０２』を選択し、ＦＦ／右スクロールキー２０３を押すことにより、図８（ｅ）の表示になり、『ＡＲＴＩＳＴ０２』のＴＡＧデータを持った音楽データのタイトル名が一覧として表示部２０１に表示される。
【００１０】
一方、図８（ｂ）の表示において、アルバム名から曲を選びたいときには、ＶＯＬＵＭＥ（−）／下スクロールキー２０４を押して『ＡＬＢＵＭ』を選択し、ＦＦ／右スクロールキー２０３を押すことにより、図８（ｄ）の表示に変わる。図８（ｄ）では、ＨＤＤに記録されている音楽データのアルバム名が表示される。
【００１１】
ＶＯＬＵＭＥ（−）／下スクロールキー２０４を押して例えば『ＡＬＢＵＭ０４』を選択し、ＦＦ／右スクロールキー２０３を押すことにより、図８（ｅ）の表示になり、『ＡＬＢＵＭ０４』のＴＡＧデータを持った音楽データのタイトル名が一覧として表示される。
【００１２】
また、図８（ｂ）の表示において、タイトル名から曲を選びたいときには、ＶＯＬＵＭＥ（−）／下スクロールキー２０４を押して『ＴＩＴＬＥ』を選択し、ＦＦ／右スクロールキー２０３を押すことにより、図８（ｅ）の表示に直接変わり、ＨＤＤに記録されている全ての音楽データのタイトル名が一覧として表示される。
【００１３】
図８（ｅ）の表示画面において、ユーザはＶＯＬＵＭＥ（＋）／上スクロールキー２０２またはＶＯＬＵＭＥ（−）／下スクロールキー２０４を押してこの一覧の中から所望の曲（タイトル名）を選択し、ＰＬＡＹ／ＰＡＵＳＥキー２０６を押すことにより、その曲が再生される。再生中は、図８（ｆ）の表示画面となる。
【００１４】
また、表示部を有する電子装置として、例えば特許文献１に開示された電子手帳がある。この電子手帳は、電子装置本体の傾きを検出する方向センサを有しており、表示部における情報（例えば文字列）の表示方向（縦方向、横方向）を、方向センサにて検出された電子装置本体の傾きに合わせて変更するようにしている。これにより、電子手帳を縦向きに持っても横向きに持っても、電子手帳を元の向きに戻すことなく、表示された情報を読むことができるものとなっている。
【特許文献１】特開平４−４０４９２号公報
【発明の開示】
【発明が解決しようとする課題】
【００１５】
ところで、ポータブルＨＤＤプレーヤのＨＤＤは、一般に、１０００曲以上もの曲を記録できる大容量のもので構成されている。これに対して、表示部での表示範囲は、一度に表示できるとしても数曲程度である。したがって、ポータブルＨＤＤプレーヤにおいて、所望の曲を再生する際には、操作ボタンでの操作により、表示画面をスクロールさせて表示内容を順次変化させ、再生する曲をユーザに選択させる必要がある。
【００１６】
しかし、手動だけで表示部の表示内容を変化させる上述の方式では、１０００曲以上もの曲がＨＤＤに記録されている場合、表示部を見ながら所望の曲を最終的に選択するまでに、ユーザは操作ボタンを何回も押さなければならず、操作が煩わしい場合が生ずる。
【００１７】
本発明は、上記の問題点を解決するためになされたものであって、その目的は、表示部の表示内容を変化させるに際し、ユーザの操作負担を軽減でき、これによって装置の利便性を向上させることができる電子装置を提供することにある。
【課題を解決するための手段】
【００１８】
（１）本発明の電子装置は、情報を表示する表示部と、前記表示部における情報の表示を制御する制御手段とを備えた電子装置であって、当該装置の姿勢の変化を検出する姿勢検出手段をさらに備え、前記制御手段は、前記姿勢検出手段によって検出された装置の姿勢の変化に対応して、前記表示部における情報の表示内容を変化させることを特徴としている。
【００１９】
上記の構成によれば、姿勢検出手段によって装置の姿勢の変化（例えば基準位置からの装置の傾き）が検出されると、制御手段は、その姿勢の変化に対応して表示部における情報の表示内容を変化させる。ここで、表示内容の変化としては、例えば、表示内容のスクロールがある。このスクロールには、単に表示内容を順次一方向にずらす動作のみならず、表示部に表示されている情報の詳細内容を示す表示への切り替え動作も含まれるものとする。つまり、表示内容の変化とは、表示される内容そのものが変化することを指し、縦書きから横書きに変化するような表示方向の変化（表示内容は同一）とは異なる概念である。
【００２０】
このように、装置の姿勢を変化させるだけで、表示部における表示内容が変化するので、表示内容を変化させるに際し、操作ボタンを何度も押圧する従来のような煩わしい手動操作を不要とすることができる。したがって、上記構成によれば、装置を使用するユーザの操作負担を軽減することができ、装置の利便性を向上させることができる。
【００２１】
（２）本発明の電子装置において、前記制御手段は、当該装置の基準位置からの傾き方向に応じた態様で、前記表示内容を変化させる構成であってもよい。なお、装置の傾き方向とは、装置の回動方向と言い換えることもできる。
【００２２】
例えば、制御手段は、装置が基準位置から任意の方向に傾いた（回動した）場合には、表示部における表示内容を順次ずらす一方、装置が基準位置から上記方向とは異なる方向に傾いた（回動した）場合には、表示部における表示内容をさらに詳細表示に切り替える制御を行う。このように、装置の基準位置からの傾き方向に応じた態様で、制御手段が表示内容を変化させるので、表示内容の変化のさせ方にバリエーションを持たせることができる。
【００２３】
（３）本発明の電子装置において、前記制御手段は、当該装置の基準位置からの傾き方向と対応する方向に、前記表示内容をスクロールさせる構成であってもよい。
【００２４】
例えば、表示部が鉛直方向となる装置の位置を基準位置とすると、表示部が上向きとなるように装置が基準位置から傾いたとき、制御手段は、その傾き方向と対応する方向（例えば表示部の表示画面では上方向）に、表示内容をスクロールさせる。したがって、ユーザは装置を傾けるという簡単な操作だけで、表示内容のスクロールを実行させることができる。
【００２５】
（４）本発明の電子装置において、前記制御手段は、当該装置の基準位置からの傾き量と対応する速度で、前記表示内容をスクロールさせる構成であってもよい。
【００２６】
上記の構成によれば、制御手段は、装置の基準位置からの傾き量が小さい場合には、その傾き量に対応する小さな速度で表示内容をスクロールさせる一方、上記傾き量が大きい場合には、その傾き量に対応する大きな速度で表示内容をスクロールさせる。したがって、装置の傾き量を調整するだけで表示内容のスクロール速度を変えることができるので、ユーザが必要とする所望の情報をより早く表示部に表示させることができる。
【００２７】
（５）本発明の電子装置において、前記制御手段は、前記表示内容の現在のスクロール方向と対応する当該装置の傾き方向とは逆方向に当該装置が所定量傾いたときに、前記表示内容のスクロールを停止させる構成であってもよい。
【００２８】
例えば、装置の現在の傾き方向が、表示部にて表示内容を上方向にスクロールさせる方向に対応している場合、当該装置が上記傾き方向とは逆方向（下方向にスクロールさせるような傾き方向）に所定量だけ傾くと、制御手段は表示内容の上方向へのスクロールを停止させる。ここで、上記の所定量としては、例えば、装置の元の位置（基準位置）までの傾き量であってもよいし、その基準位置に若干のマージンを持たせた範囲までの傾き量であってもよい。このような構成により、スクロールのしすぎによって所望の表示内容が表示画面から消えるといった不都合を、簡単な操作（装置の傾き方向の調整）によって回避することができる。また、装置が所定量傾かなければ、表示内容のスクロールが停止しない構成なので、装置の傾き量が所定量に到達するまでの範囲内で装置の傾きを調整することにより、スクロールの速度を微調整することもできる。
【００２９】
（６）本発明の電子装置は、前記表示部の表示画面上にて選択表示された情報を再生する再生手段をさらに備え、前記制御手段は、前記表示内容の現在のスクロール可能な方向と対応する当該装置の傾き方向とは異なる方向に当該装置が傾いたときに、前記選択表示されている情報を前記再生手段に再生させる構成であってもよい。
【００３０】
上記の構成によれば、表示部における現在の表示内容のスクロール可能な方向（例えば表示内容の上下スクロール方向）と対応する装置の傾き方向とは異なる方向に装置が傾いたとき、制御手段の制御により、表示部の表示画面上で選択表示された情報（例えば音楽の曲）が再生手段によって再生される。これにより、ユーザは装置の傾き方向を調整する作業を行うだけで（操作ボタンの押圧のような煩雑な操作を行うことなく）、所望の情報を選択して装置に再生させることができる。
【００３１】
（７）本発明の電子装置は、前記表示内容を手動で変化させるための操作部と、前記姿勢検出手段の姿勢変化の検出に基づく前記制御手段の動作をＯＮ／ＯＦＦするためのトリガー手段とをさらに備えている構成であってもよい。
【００３２】
上記の構成によれば、ユーザはトリガー手段を操作することにより、装置の姿勢変化と操作部での手動操作とのうちのいずれか一方の手法によって、表示部における表示内容を変化させることができる。これにより、ユーザは使用しやすい方法を選択して装置を使用することができる。例えば、表示部に表示されるべき情報量が元々少ない場合には、操作部での操作により、表示内容を変化させるほうが簡単に装置を使用できる場合もある。したがって、上記構成によれば、上記両方の手法を選択使用できる点でも装置の利便性が増すものとなる。
【発明の効果】
【００３３】
本発明によれば、装置の姿勢を変化させるだけで、表示部における表示内容が変化するので、表示内容を変化させるに際し、操作ボタンを何度も押圧する従来のような煩わしい手動操作を不要とすることができる。その結果、装置を使用するユーザの操作負担を軽減することができ、装置の利便性を向上させることができる。
【発明を実施するための最良の形態】
【００３４】
本発明の実施の一形態について、図面に基づいて説明すれば、以下の通りである。
【００３５】
図２は、本発明に係る電子装置の一例としてのポータブルＨＤＤプレーヤ（単に装置とも称する）の外観構成を示す斜視図である。この装置は、略直方体形状の本体１における同一面に、表示部２と、操作部３とを有している。
【００３６】
表示部２は、後述するＨＤＤ１１に記録された情報（例えば曲のタイトルやトラック番号）や、現在の装置の動作状態（例えば再生中か否か）などを表示するものであり、例えば液晶ディスプレイで構成されている。表示部２に表示される表示データは、例えば図８（ａ）〜図８（ｆ）で示したものと同じものを考えることができる。
【００３７】
操作部３は、表示部２における表示内容を手動で変化させるとともに、装置の動作を制御すべく、ユーザによって押圧操作されるものである。より具体的には、操作部３は、ＶＯＬＵＭＥ（＋）／上スクロールキー４と、ＦＦ／右スクロールキー５と、ＶＯＬＵＭＥ（−）／下スクロールキー６と、ＲＥＷ／左スクロールキー７と、ＰＬＡＹ／ＰＡＵＳＥキー８と、ＭＥＮＵキー９とを有して構成されている。
【００３８】
ＶＯＬＵＭＥ（＋）／上スクロールキー４は、ボリュームアップおよび表示部２における表示内容を上方向にスクロールさせるためのキーである。ＦＦ／右スクロールキー５は、再生する曲の早送りと、表示部２における表示内容を右方向にスクロールさせるためのキーである。ＶＯＬＵＭＥ（−）／下スクロールキー６は、ボリュームダウンおよび表示部２における表示内容を下方向にスクロールさせるためのキーである。ＲＥＷ／左スクロールキー７は、再生する曲の巻き戻しと、表示部２における表示内容を左方向にスクロールさせるためのキーである。ＰＬＡＹ／ＰＡＵＳＥキー８は、表示部２にて選択表示されている曲の再生および一時停止を指示するためのキーである。なお、図２では、表示部２における選択範囲を網目部分で示している（他の図面でもこれと同様である）。ＭＥＮＵキー９は、表示部２にメニュー画面（図８（ａ）参照）を表示させるためのキーである。
【００３９】
また、本体１における一側面には、本体スクロールＯＮ／ＯＦＦボタン１０が設けられている。この本体スクロールＯＮ／ＯＦＦボタン１０は、後述する加速度センサ１２の姿勢変化の検出に基づくＣＰＵ１３の動作をＯＮ／ＯＦＦするためのトリガー手段である。例えば、本体スクロールＯＮ／ＯＦＦボタン１０をＯＦＦすれば、ユーザが操作部３を手動で入力することにより、表示部２における表示内容を変化させたり、装置に所定の動作を行わせたりすることができる。一方、本体スクロールＯＮ／ＯＦＦボタン１０をＯＮすれば、ＣＰＵ１３の制御のもとで、表示部２における表示内容の変化が、装置の姿勢検出に基づいて行われることになる。この点が本発明の最も特徴的な部分であるが、その詳細な動作については後述することとする。
【００４０】
ところで、表示部２における表示内容の変化としては、上述のように表示内容のスクロールがある。このスクロールには、上下方向のスクロールと左右方向へのスクロールとがある。上下方向のスクロールは、単に表示内容を上下方向に順次ずらす動作である。一方、右方向へのスクロールは、表示内容を右方向に順次ずらす動作のみならず、表示部に表示されている情報の詳細内容を示す表示への切り替え動作も含んでいる。また、左方向へのスクロールは、表示内容を左方向に順次ずらす動作のみならず、上記情報が含まれるカテゴリー（フォルダ）への表示の切り替え動作も含んでいる。
【００４１】
次に、ポータブルＨＤＤプレーヤの内部構成について、図１に基づいて説明する。図１は、ポータブルＨＤＤプレーヤ内部の電気的な接続構成を示すブロック図である。
【００４２】
ポータブルＨＤＤプレーヤは、上記した表示部２、操作部３、本体スクロールＯＮ／ＯＦＦボタン１０の他に、ＨＤＤ１１と、加速度センサ１２と、ＣＰＵ１３と、メモリ１４とを有している。
【００４３】
ＨＤＤ１１は、例えば１０００曲以上の音楽データを記録することが可能であるが、表示部２の表示画面上にて選択表示された情報（曲）を再生する再生手段としても機能している。
【００４４】
加速度センサ１２は、装置の姿勢の変化を検出する姿勢検出手段である。より具体的には、加速度センサ１２は、表示部２における上下スクロールの方向に対応する装置の傾き方向（以下、Ｘ方向と称する）を検出するとともに、左右スクロールの方向に対応する装置の傾き方向（以下、Ｙ方向と称する）を検出し、Ｘ方向およびＹ方向のそれぞれにおける装置の傾き量（傾き角度）に対応する電圧をＣＰＵ１３に出力する。このようなＸ方向およびＹ方向の傾き方向の検出は、加速度センサ１２の図示しない基板上への取り付け方向を適切に設定することで可能である。また、加速度センサ１２の基板上への取り付け方向を変更すれば、上記傾き方向とは異なる装置の傾き方向を検出するようにすることも可能である。
【００４５】
ここで、図３（ａ）（ｂ）（ｃ）は、表示部２および操作部３が正面を向くような装置の位置を基準位置とし、表示部２および操作部３が徐々に上を向くように、水平方向を回動軸として装置の本体１上部を基準位置から傾けていった場合の装置の側面図をそれぞれ示している。上記のＸ方向は、本実施形態では、上記水平方向の回動軸を中心に本体１上部が手前または奥側に回動する方向を指している。そして、装置が手前に回動すればするほど、加速度センサ１２のＸ方向の出力値は大きくなり、装置が奥側に回動すればするほど、加速度センサ１２のＸ方向の出力値は小さくなる。なお、Ｘ方向の出力値の増減方向は、加速度センサ１２の基板への取り付け方向を変更することで変更することが可能である。
【００４６】
また、図４（ａ）は、図３（ａ）の状態での装置の下面図を示しており、図４（ｂ）は、鉛直方向を回動軸として装置の右端（または左端）が基準位置から回動した場合の装置の下面図を示している。上記のＹ方向は、本実施形態では、上記鉛直方向の回動軸を中心に装置の右端が手前または奥側に回動する方向を指している。そして、装置の右端が手前に回動すればするほど、加速度センサ１２のＹ方向の出力値は大きくなり、装置の右端が奥側に回動すればするほど、加速度センサ１２のＹ方向の出力値は小さくなる。なお、Ｙ方向の出力値の増減方向は、加速度センサ１２の基板への取り付け方向を変更することで変更することが可能である。
【００４７】
ＣＰＵ１３は、表示部２における情報の表示を制御する制御手段であり、表示部２に表示する適切なデータを作成する。また、ＣＰＵ１３は、各部の動作を制御する他に、音楽データの伸張処理、操作部３からの入力に対応する処理、本体スクロールＯＮ／ＯＦＦボタン１０からの入力に対する処理、加速度センサ１２からの入力に対する処理等も行う。
【００４８】
メモリ１４は、ＣＰＵ１３を動作させるためのプログラムの記憶や、音楽データ伸張処理の過程で必要となるデータの退避等を行う。
【００４９】
次に、本実施形態における装置の動作について説明する。なお、以下では、説明の理解を容易にするため、表示部２の表示状態は、図８（ｅ）のように音楽のタイトル名が表示された状態であるとする。
【００５０】
ユーザが再生したい曲を選択するには、まず、装置の本体スクロールＯＮ／ＯＦＦボタン１０を押すことにより、本体スクロールＯＮの状態にする。これにより、表示部２に表示されている表示画面のスクロールが、装置の状態（姿勢）に応じて変化可能な状態になる。
【００５１】
ここで、装置の基本姿勢である図３（ａ）の状態で、本体スクロールＯＮの状態になったとする。ＣＰＵ１３は、このときの加速度センサ１２のＸ方向の出力値ＡとＹ方向の出力値ａとを記憶する。図３（ａ）の状態から装置を傾けて、図３（ｂ）の状態になると、加速度センサ１２のＸ方向の出力値は、図３（ａ）の状態で得られる出力値Ａよりも小さい出力値Ｂになる。ＣＰＵ１３は、出力値Ａと出力値Ｂとを比較し、出力値Ｂの方が小さいので、表示部２の表示内容を上方向にスクロールさせる制御を行う。この結果、表示部２の表示は、上方向にスクロールされる。
【００５２】
さらに装置を傾けて図３（ｃ）の状態になると、加速度センサ１２のＸ方向の出力値は、出力値Ｂよりもさらに小さい出力値Ｃになる。ＣＰＵ１３は、出力値Ａと出力値Ｃとを比較し、出力値Ｃの方が小さいので、表示部２の表示内容をさらに上方向にスクロールさせる制御を行う。この結果、表示部２の表示は、さらに上方向にスクロールされる。
【００５３】
ここで、出力値Ａと出力値Ｂとの差と、出力値Ａと出力値Ｃとの差は異なっている。このことを利用して、ＣＰＵ１３は、出力値の差が大きいほど、スクロールのスピードを早くする制御を行うことも可能である。つまり、ＣＰＵ１３は、装置の基準位置からの傾き量と対応する速度で、表示部２の表示内容をスクロールさせることも可能である。この場合、装置の傾き量を調整するだけで、表示内容のスクロール速度を変えることができるので、ユーザが必要とする所望の情報をより早く表示部２に表示させることができる。
【００５４】
装置を傾け続けると、表示部２の表示内容は上方向にスクロールし続けるので、表示部２に所望の曲が表示されるようになったときに、装置の姿勢を図３（ａ）の状態に戻すことにより、上記のスクロールが停止する。ここで、図３（ａ）の状態に正確に戻さないと停止しないのではなく、ある程度余裕を持たせることにより、ユーザの使い勝手が増す。
【００５５】
このように、ＣＰＵ１３は、表示部２の表示内容の現在のスクロール方向（上記の例では上方向）と対応する装置の傾き方向（Ｘ方向において出力値が小さくなる方向）とは逆方向（Ｘ方向において出力値が大きくなる方向）に装置が所定量傾いたときに、表示内容のスクロールを停止させるようにしてもよい。これにより、スクロールのしすぎによって所望の表示内容が表示部２に表示されない（表示が通過してしまう）といった不都合を、簡単な操作（装置の傾き方向の調整）によって回避することができる。また、装置が所定量傾かなければ、表示内容のスクロールが停止しないので、装置の傾き量が所定量に到達するまでの範囲内で装置の傾きを調整することにより、スクロールの速度を増減させる微調整を行うこともできる。
【００５６】
このとき、ＣＰＵ１３は、表示部２における表示内容の現在のスクロール方向と対応する装置の傾き方向（例えばＸ方向において出力値が小さくなる方向）とは異なる方向（例えばＸ方向において出力値が大きくなる方向やＹ方向）に装置が傾いた瞬間に、表示内容のスクロールを停止させるようにしてもよい。この場合でも、スクロールのしすぎによって所望の表示内容が表示部２に表示されないといった不都合を、簡単な操作によって回避することができる。
【００５７】
一方、表示部２の表示内容を下方向にスクロールして曲を選択する場合、図３（ａ）の状態で本体スクロールＯＮの状態になっていれば、装置を図５（ａ）の状態にすればよい。すなわち、図３（ａ）の状態から装置を傾けて、図５（ａ）の状態になると、加速度センサ１２のＸ方向の出力値は、図３（ａ）の状態で得られる出力値Ａよりも大きい出力値Ｄとなる。ＣＰＵ１３は、出力値Ａと出力値Ｄとを比較し、出力値Ｄの方が大きいので、表示部２の表示内容を下方向にスクロールさせる制御を行う。この結果、表示部２の表示は、下方向にスクロールされる。
【００５８】
さらに装置を傾けて図５（ｂ）の状態になると、加速度センサ１２のＸ方向の出力値は、出力値Ｄよりもさらに大きい出力値Ｅになる。ＣＰＵ１３は、出力値Ａと出力値Ｅとを比較し、出力値Ｅの方が大きいので、表示部２の表示内容をさらに下方向にスクロールさせる制御を行う。この結果、表示部２の表示は、さらに下方向にスクロールされる。
【００５９】
このとき、出力値Ａと出力値Ｄとの差と、出力値Ａと出力値Ｅとの差は異なっているので、ＣＰＵ１３は、出力値の差が大きいほど、スクロールのスピードを早くする制御を行うことにより、装置の傾き角度に応じてスクロールのスピードを変化させるようにしてもよいことは、上スクロールの場合と同様である。また、下スクロールを停止させる方法についても、上スクロールの場合で述べた方法と同様の方法を適用することが可能である。
【００６０】
以上のようにして、所望の曲が表示部２の表示画面に現れ、それが表示画面中の選択範囲内に来ると、次に、ＣＰＵ１３は、装置の傾きに応じて以下の制御を行う。
【００６１】
今、図４（ａ）の状態で上下方向のスクロールが停止しているとする。このときの加速度センサ１２のＹ方向の出力値はａである。装置を傾けて、図４（ｂ）の状態になると、加速度センサ１２のＹ方向の出力値は図４（ａ）の出力値ａよりも小さい出力値ｂになる。ＣＰＵ１３は、出力値ａと出力値ｂとを比較し、出力値ｂの方が小さい値であるので、最終的に選択されている所望の曲の再生処理を行う。
【００６２】
このとき、装置の傾き方向は、表示部２における現在の表示内容のスクロール可能な方向（すなわち、上下スクロール方向）と対応するＸ方向とは異なるＹ方向であり、このときにＣＰＵ１３は、表示部２にて最終的に選択表示されている情報をＨＤＤ１１に再生させる処理を行っている。なお、最終的に選択表示されている情報とは、表示部２にて表示された情報であって、これ以上、当該情報のさらなる詳細表示への切り替えがない情報を意味している。これにより、ユーザは装置の傾き方向を調整する作業を行うだけで、操作部３での煩雑な操作を行うことなく所望の曲を選択して装置で再生することができる。
【００６３】
上記の再生処理を行うと、装置は自動的に本体スクロールＯＦＦの状態になる。また、ユーザが本体スクロールＯＮ／ＯＦＦボタン１０を押すことにより、いつでも、本体スクロールＯＦＦの状態にすることも可能である。
【００６４】
以上では、表示部２に表示されている表示データが既に図８（ｅ）の状態にあるときの制御について述べてきたが、表示内容を図８（ａ）、図８（ｂ）、図８（ｃ）、図８（ｅ）と順に遷移させる場合や、図８（ａ）、図８（ｂ）、図８（ｄ）、図８（ｅ）と順に遷移させる場合についても、本実施形態と同様の装置の傾きによる表示内容の変化が可能である。例えば、各図において、上下へのスクロールは、装置をＸ方向に傾けることで行い（図３（ｂ）（ｃ）、図５（ａ）（ｂ）参照）、右スクロール（詳細表示への切り替え）は、装置をＹ方向に傾けることで行うことができる（図４（ａ）（ｂ）参照）。
【００６５】
以上のことから、装置をＸ方向に傾けて図３（ａ）から図３（ｂ）（ｃ）の状態にすることは、図２のＶＯＬＵＭＥ（＋）／上スクロールキー４を押圧した場合に対応しており、装置をＸ方向に傾けて図３（ａ）から図５（ａ）（ｂ）の状態にすることは、ＶＯＬＵＭＥ（−）／下スクロールキー６を押圧した場合に対応していると言える。また、装置をＹ方向に傾けて図４（ａ）から図４（ｂ）の状態にすることは、ＦＦ／右スクロールキー５またはＰＬＡＹ／ＰＡＵＳＥキー８を押圧した場合に対応していると言える。なお、装置を図４（ｂ）とは逆方向に傾けることは、ＲＥＷ／左スクロールキー７を押圧した場合に対応することになる。
【００６６】
以上のように、本実施形態の装置では、加速度センサ１２によって検出された装置の姿勢の変化に対応して、ＣＰＵ１３が表示部２における情報の表示内容を変化させている。これにより、装置の姿勢を変化させるだけで、表示部２における表示内容が変化するので、表示内容を変化させるに際し、操作部３の各キーを何度も押圧するような煩わしい手動操作を不要とすることができる。したがって、装置を使用するユーザの操作負担を軽減することができ、装置の利便性を向上させることができる。
【００６７】
また、ＣＰＵ１３は、装置の傾きがＸ方向であれば表示部２の表示内容を上下方向にスクロールさせる一方、装置の傾きがＹ方向であれば表示内容をその詳細表示に切り替える制御を行っている。このように、ＣＰＵ１３は、装置の基準位置からの傾き方向に応じた態様で、表示部２の表示内容を変化させているので、表示内容の変化に際し、様々なバリエーションを実現することができる。
【００６８】
また、ＣＰＵ１３は、装置の基準位置からの傾き方向と対応する方向に、表示部２の表示内容をスクロールさせている。したがって、ユーザは装置を傾けるという簡単な操作だけで、表示内容の所定方向（傾き方向と対応する方向）へのスクロールを実行させることができる。
【００６９】
また、本実施形態の装置は、表示部２の表示内容を手動で変化させるための操作部３と、加速度センサ１２の姿勢変化の検出に基づくＣＰＵ１３の動作をＯＮ／ＯＦＦするための本体スクロールＯＮ／ＯＦＦボタン１０とを備えている。これにより、ユーザは本体スクロールＯＮ／ＯＦＦボタン１０を操作することにより、装置の姿勢変化と操作部３での手動操作とのうちのいずれか一方の手法によって、表示部２における表示内容を変化させることができる。したがって、ユーザは使用しやすい方法を選択して装置を使用することができ、装置の利便性が益々増大するものとなる。
【００７０】
なお、本実施形態では、装置に加速度センサ１２を組み込み、装置の傾きに対応して表示部２における表示画面をスクロールさせる方法について述べてきたが、装置ではなく、装置に接続されるリモコンに加速度センサ１２と本体スクロールＯＮ／ＯＦＦボタン１０とを設け、加速度センサ１２の出力を装置に供給することにより、リモコンの傾きによる表示部２の表示内容のスクロール制御を行うことも可能である。
【００７１】
なお、本実施形態では、装置に本体スクロールＯＮ／ＯＦＦボタン１０を設けているが、そのようなボタンを設ける代わりに、図８（ａ）に示すメニュー画面の一つの項目として、スクロールのＯＮ／ＯＦＦの切り替えを行うための表示を設け、表示部２上でユーザに選択させるようにしてもよい。
【００７２】
なお、本実施形態では、表示部２を有する電子装置の一例として、ポータブルＨＤＤプレーヤについて説明したが、本発明はこれに限定されるわけではない。表示部２における表示内容を変化させる必要のある電子装置であれば、例えばポータブルＭＤ、電子手帳、携帯電話など、他の電子機器についても本発明を適用することは可能である。
【図面の簡単な説明】
【００７３】
【図１】本発明の実施の一形態に係る電子装置の一例であるポータブルＨＤＤプレーヤ内部の電気的な接続構成を示すブロック図である。
【図２】上記ポータブルＨＤＤプレーヤの外観構成を示す斜視図である。
【図３】（ａ）ないし（ｃ）は、上記ポータブルＨＤＤプレーヤを水平方向を回動軸として基準位置から傾けていった場合の、任意の傾き角における装置の側面図である。
【図４】（ａ）および（ｂ）は、上記ポータブルＨＤＤプレーヤを鉛直方向を回動軸として基準位置から傾けていった場合の、任意の傾き角における装置の下面図である。
【図５】（ａ）および（ｂ）は、図３（ｂ）（ｃ）とは反対方向に上記ポータブルＨＤＤプレーヤを傾けていった場合の、任意の傾き角における装置の側面図である。
【図６】従来のポータブルＭＤプレーヤの概略の構成を示す正面図である。
【図７】従来のポータブルＨＤＤプレーヤの概略の構成を示す正面図である。
【図８】（ａ）ないし（ｆ）は、表示部の表示内容の一例を示す説明図である。
【符号の説明】
【００７４】
２    表示部
３    操作部
１０    本体スクロールＯＮ／ＯＦＦボタン（トリガー手段）
１１    ＨＤＤ（再生手段）
１２    加速度センサ（姿勢検出手段）
１３    ＣＰＵ（制御手段）
【図１】
2005221816.tif 000003
【図２】
2005221816.tif 000004
【図３】
2005221816.tif 000005
【図４】
2005221816.tif 000006
【図５】
2005221816.tif 000007
【図６】
2005221816.tif 000008
【図７】
2005221816.tif 000009
【図８】
2005221816.tif 000010